(57)【要約】【課題】  消毒液の含浸量（すなわち、消毒剤の使用量）に対し、充分な殺菌効果及び／又はウイルス不活性化効果を示す、繊維シートに消毒液が含浸されたウェットワイパーを提供する。【解決手段】繊維シートに消毒液が含浸されたウェットワイパーであって、上記繊維シートは、綿、テンセル、ポリエチレン、ポリプロピレン及びポリエステルからなる群から選択される少なくとも１種の繊維からなり、上記消毒液は、第四級アンモニウム塩系消毒剤、ビグアナイド系消毒剤及びポリフェノール系消毒剤からなる群から選択される少なくとも１種の消毒剤を含むことを特徴とするウェットワイパー。【選択図】  なし【特許請求の範囲】
【請求項１】
繊維シートに消毒液が含浸されたウェットワイパーであって、
前記繊維シートは、綿、テンセル、ポリエチレン、ポリプロピレン及びポリエステルからなる群から選択される少なくとも１種の繊維からなり、
前記消毒液は、第四級アンモニウム塩系消毒剤、ビグアナイド系消毒剤及びポリフェノール系消毒剤からなる群から選択される少なくとも１種の消毒剤を含むことを特徴とするウェットワイパー。
【請求項２】
前記第四級アンモニウム塩系消毒剤は、塩化ベンザルコニウム、セチルリン酸化ベンザルコニウム、塩化ベンゼトニウム、ジデシルジメチルアンモニウムクロライド、臭化ジデシルジメチルアンモニウム、ジデシルジメチルアンモニウムメトサルフェート、ジデシルジメチルアンモニウムプロピオネート、テトラアルキルアンモニウムアジピン酸塩、オクタデシルジメチル（３−トリメトキシシリルプロピル）アンモニウムクロライド及び塩化セチルピリジニウムからなる群から選択される少なくとも１種である請求項１に記載のウェットワイパー。
【請求項３】
前記ビグアナイド系消毒剤は、グルコン酸クロルヘキシジン、ポリヘキサメチレビグアナイド塩酸塩、ポリヘキサメチレンビグアニジン塩酸塩からなる群から選択される少なくとも１種である請求項１又は２に記載のウェットワイパー。
【請求項４】
前記ポリフェノール系消毒剤は、タンニン、カテキン、アントシアニン、ルチン、イソフラボン、クロロゲン酸、エラグ酸、リグナン、クルクミン及びクマリンからなる群から選択される少なくとも１種を有効成分として含む請求項１〜３のいずれかに記載のウェットワイパー。
【請求項５】
前記タンニンは、海藻由来抽出物、ブドウ由来抽出物、柿渋由来抽出物、及び、茶由来抽出物からなる群から選択される少なくとも１種である請求項４に記載のウェットワイパー。
【請求項６】
前記海藻由来抽出物は、ヒバマタ科の海藻から抽出された海藻由来抽出物である請求項５に記載のウェットワイパー。
【請求項７】
前記ヒバマタ科の海藻は、アスコフィラム・ノドサムである請求項６に記載のウェットワイパー。
【請求項８】
前記海藻由来抽出物は、フロログルシノール重合体を含む請求項５〜７のいずれかに記載のウェットワイパー。
【請求項９】
前記フロログルシノール重合体は、フロログルシノールが７分子以上重合してなる化合物である請求項８に記載のウェットワイパー。
【発明の詳細な説明】
【技術分野】
【０００１】
本発明は、ウェットワイパーに関する。
【背景技術】
【０００２】
被払拭表面の消毒及び除菌を目的とし、消毒及び／又は除菌効果を有する薬剤の溶液を繊維シートに含浸させたウェットワイパーが市販されている。
このような薬剤としては、除菌作用を有する第四級アンモニウム塩系消毒剤等が知られている。
例えば、特許文献１には、布帛に第四級アンモニウム塩を含む除菌液を含浸させたウェットワイパーが開示されている。
【先行技術文献】
【特許文献】
【０００３】
【特許文献１】特開２０１６−１７５８７９号公報
【発明の概要】
【発明が解決しようとする課題】
【０００４】
第四級アンモニウム塩等の薬剤を布帛に含浸させたウェットワイパーを用いて被払拭表面を拭いた場合、除菌液の含浸量（すなわち、薬剤の使用量）に比べ殺菌効果が充分でないという現象が生じることがあった。
このように、除菌液の含浸量（すなわち、薬剤の使用量）に比べ殺菌効果が充分でないという現象は、薬剤が布帛に吸着されてしまい、ウェットワイパーにより被払拭表面を拭いたとしても、被払拭表面に薬剤が移らないことが原因と考えられた。
【０００５】
本発明は、上記問題点を鑑みてなされた発明であり、本発明の目的は、消毒液の含浸量（すなわち、消毒剤の使用量）に対し、充分な殺菌効果及び／又はウイルス不活性化効果を示す、繊維シートに消毒液が含浸されたウェットワイパーを提供することである。
【課題を解決するための手段】
【０００６】
本発明者は、鋭意検討した結果、薬剤が布帛に吸着する原因は、布帛を構成する繊維の種類に起因することを見出し、本発明を完成させた。
【０００７】
すなわち、本発明のウェットワイパーは、繊維シートに消毒液が含浸されたウェットワイパーであって、上記繊維シートは、綿、テンセル、ポリエチレン、ポリプロピレン及びポリエステルからなる群から選択される少なくとも１種の繊維からなり、上記消毒液は、第四級アンモニウム塩系消毒剤、ビグアナイド系消毒剤及びポリフェノール系消毒剤からなる群から選択される少なくとも１種を含むことを特徴とする。
【０００８】
本発明のウェットワイパーでは、消毒液が、第四級アンモニウム塩系消毒剤、ビグアナイド系消毒剤及びポリフェノール系消毒剤からなる群から選択される少なくとも１種の消毒剤を含む。
従って、本発明のウェットワイパーは、優れた殺菌効果及び／又はウイルス不活性化効果を示す。
【０００９】
なお、本明細書において、「消毒液」とは、消毒剤が水等の溶媒に溶解したもののことを意味する。
【００１０】
本発明のウェットワイパーは、綿、テンセル、ポリエチレン、ポリプロピレン及びポリエステルからなる群から選択される少なくとも１種の繊維からなる繊維シートから構成される。
これら繊維からなる繊維シートは、上記の消毒剤を吸着しにくい。
そのため、本発明のウェットワイパーで被払拭表面を拭いた場合、充分な量の消毒剤を被払拭表面に移すことができる。
そのため、本発明のウェットワイパーは、消毒液の含浸量（すなわち、消毒剤の使用量）に対し、充分な殺菌効果及び／又はウイルス不活性化効果を示す。
なお、本明細書において、「繊維シート」とは、不織布、織布、編布等の繊維により構成されるシートのことを意味する。
【００１１】
本発明のウェットワイパーでは、上記第四級アンモニウム塩系消毒剤は、塩化ベンザルコニウム、セチルリン酸化ベンザルコニウム、塩化ベンゼトニウム、ジデシルジメチルアンモニウムクロライド、臭化ジデシルジメチルアンモニウム、ジデシルジメチルアンモニウムメトサルフェート、ジデシルジメチルアンモニウムプロピオネート、テトラアルキルアンモニウムアジピン酸塩、オクタデシルジメチル（３−トリメトキシシリルプロピル）アンモニウムクロライド及び塩化セチルピリジニウムからなる群から選択される少なくとも１種であることが望ましい。
また、本発明のウェットワイパーでは、上記ビグアナイド系消毒剤は、グルコン酸クロルヘキシジン、ポリヘキサメチレビグアナイド塩酸塩、ポリヘキサメチレンビグアニジン塩酸塩からなる群から選択される少なくとも１種であることが望ましい。
これらの消毒剤は、皮膚刺激性が高くなく、かつ、充分な殺菌効果を示す。
【００１２】
本発明のウェットワイパーでは、上記ポリフェノール系消毒剤は、タンニン、カテキン、アントシアニン、ルチン、イソフラボン、クロロゲン酸、エラグ酸、リグナン、クルクミン及びクマリンからなる群から選択される少なくとも１種を有効成分として含むことが望ましい。
これらの消毒剤は、皮膚刺激性が高くなく、かつ、充分な殺菌効果及び／又はウイルス不活性化効果を示す。
【００１３】
本発明のウェットワイパーでは、上記タンニンは、海藻由来抽出物、ブドウ由来抽出物、柿渋由来抽出物、及び、茶由来抽出物からなる群から選択される少なくとも１種であることが望ましい。また、上記海藻由来抽出物は、ヒバマタ科の海藻から抽出された海藻由来抽出物であることが望ましく、上記ヒバマタ科の海藻は、アスコフィラム・ノドサムであることがより望ましい。
さらに、上記海藻由来抽出物は、フロログルシノール重合体を含むことが望ましく、上記フロログルシノール重合体は、フロログルシノールが７分子以上重合してなる化合物であることがさらに望ましい。
このような消毒剤は、皮膚刺激性が高くなく、かつ、充分なウイルス不活性化効果を示す。
【発明を実施するための形態】
【００１４】
以下、本発明のウェットワイパーについて具体的な実施形態を示しながら説明する。しかしながら、本発明は、以下の実施形態に限定されるものではなく、本発明の要旨を変更しない範囲において適宜変更して適用することができる。
【００１５】
本発明のウェットワイパーは、繊維シートに消毒液が含浸されたウェットワイパーであって、上記繊維シートは、綿、テンセル、ポリエチレン、ポリプロピレン及びポリエステルからなる群から選択される少なくとも１種の繊維からなり、上記消毒液は、第四級アンモニウム塩系消毒剤、ビグアナイド系消毒剤及びポリフェノール系消毒剤からなる群から選択される少なくとも１種の消毒剤を含むことを特徴とする。
以下、本発明のウェットワイパーの各構成について説明する。
【００１６】
＜消毒液＞
まず、本発明のウェットワイパーを構成する消毒液について説明する。
本発明のウェットワイパーでは、消毒液は、第四級アンモニウム塩系消毒剤、ビグアナイド系消毒剤及びポリフェノール系消毒剤からなる群から選択される少なくとも１種の消毒剤を含む。
従って、本発明のウェットワイパーは、優れた殺菌効果及び／又はウイルス不活性化効果を示す。
【００１７】
本発明のウェットワイパーにおいて、消毒剤が第四級アンモニウム塩系消毒剤である場合、第四級アンモニウム塩は、どのような塩であってもよく、例えば、塩化物、臭化物、セチルリン酸塩、プロピオン酸塩、メチル硫酸塩、アジピン酸塩、炭酸塩、炭酸水素塩等が挙げられる。
このような第四級アンモニウム塩系消毒剤としては、塩化ベンザルコニウム、セチルリン酸化ベンザルコニウム、塩化ベンゼトニウム、ジデシルジメチルアンモニウムクロライド、臭化ジデシルジメチルアンモニウム、ジデシルジメチルアンモニウムメトサルフェート、ジデシルジメチルアンモニウムプロピオネート、テトラアルキルアンモニウムアジピン酸塩、オクタデシルジメチル（３−トリメトキシシリルプロピル）アンモニウムクロライド及び塩化セチルピリジニウムからなる群から選択される少なくとも１種であることが望ましい。
これらの第四級アンモニウム塩系消毒剤は、皮膚刺激が高くなく、かつ、充分な殺菌効果を示す。
【００１８】
本発明のウェットワイパーでは、消毒液は、水や、エタノール水溶液（エタノールの濃度：０重量％を超え、９０重量％以下）、イソプロパノール水溶液（イソプロパノールの濃度：０重量％を超え、９０重量％以下）に第四級アンモニウム塩系消毒剤が溶解されたものであってもよい。
また、消毒液は、水に第四級アンモニウム塩系消毒剤が溶解されたものであることが望ましい。なおこの場合、ｐＨは特に限定されないが、６．０〜９．０であることが望ましい。
【００１９】
消毒液が、水に第四級アンモニウム塩系消毒剤が溶解されたものである場合、その濃度は、０．０１〜１０重量％であることが望ましく、０．０２〜１重量％であることがより望ましい。
本発明のウェットワイパーを構成する繊維シートは、第四級アンモニウム塩系消毒剤を吸着しにくい。そのため、上記濃度であっても、充分な量の第四級アンモニウム塩系消毒剤を被払拭表面に移すことができる。
【００２０】
本発明のウェットワイパーにおいて、消毒剤がビグアナイド系消毒剤である場合、その種類は特に限定されないが、グルコン酸クロルヘキシジン、ポリヘキサメチレビグアナイド塩、ポリヘキサメチレンビグアニジン塩からなる群から選択される少なくとも１種であることが望ましい。
これらのビグアナイド系消毒剤は、皮膚刺激が高くなく、かつ、充分な殺菌効果を示す。
【００２１】
本発明のウェットワイパーでは、消毒液は、水や、エタノール水溶液（エタノールの濃度：０重量％を超え、９０重量％以下）、イソプロパノール水溶液（イソプロパノールの濃度：０重量％を超え、９０重量％以下）にビグアナイド系消毒剤が溶解されたものであってもよい。
また、消毒液は、水にビグアナイド系消毒剤が溶解されたものであることが望ましい。なおこの場合、ｐＨは特に限定されないが、５．０〜８．０であることが望ましい。
【００２２】
消毒液が、水にビグアナイド系消毒剤が溶解されたものである場合、その濃度は、０．０１〜１０重量％であることが望ましく、０．０２〜１重量％であることがより望ましい。
本発明のウェットワイパーを構成する繊維シートは、ビグアナイド系消毒剤を吸着しにくい。そのため、上記濃度であっても、充分な量のビグアナイド系消毒剤を被払拭表面に移すことができる。
【００２３】
本発明のウェットワイパーにおいて、消毒剤がポリフェノール系消毒剤である場合、上記ポリフェノール系消毒剤は、タンニン、カテキン、アントシアニン、ルチン、イソフラボン、クロロゲン酸、エラグ酸、リグナン、クルクミン及びクマリンからなる群から選択される少なくとも１種を有効成分として含むことが望ましい。
これらの消毒剤は、皮膚刺激性が高くなく、かつ、充分な殺菌効果及び／又はウイルス不活性化効果を示す。
【００２４】
また、上記タンニンは、海藻由来抽出物、ブドウ由来抽出物、柿渋由来抽出物、及び、茶由来抽出物からなる群から選択される少なくとも１種であることが望ましい。また、上記海藻由来抽出物は、ヒバマタ科の海藻から抽出された海藻由来抽出物であることが望ましく、上記ヒバマタ科の海藻は、アスコフィラム・ノドサムであることがより望ましい。
【００２５】
さらに、上記海藻由来抽出物は、タンニンを有効成分として含むことが望ましく、上記タンニンは、フロログルシノール重合体であることがより望ましい。
このような、消毒剤は、皮膚刺激性が高くなく、かつ、充分なウイルス不活性化効果を示す。
【００２６】
なお、フロログルシノール重合体とは、下記式（１）で示される化合物（フロログルシノール）の１位、３位及び５位のヒドロキシル基のうち少なくとも１種のヒドロキシル基を介して複数のフロログルシノールが重合した化合物のことを意味する。
フロログルシノール重合体の構造は、直鎖構造であってもよく、分岐構造を有していてもよく、複数のフロログルシノールが環状に繋がった構造を有していてもよい。
【００２７】
【化１】
2019097756.tif 000002
【００２８】
また、フロログルシノール重合体は、フロログルシノールが７分子以上重合してなる化合物であることが望ましく、１０分子以上重合してなる化合物であることがより望ましく、２０分子以上重合してなる化合物であることがさらに望ましく、５０分子以上重合してなる化合物であることが特に望ましい。
また、フロログルシノールの重合数は、１０００分子以下であることが望ましく、５００分子以下であることがより望ましい。
【００２９】
また、フロログルシノール重合体の平均分子量が１，０００以上であることが望ましく、１，０００〜１００，０００であることがより望ましい。
【００３０】
本発明のウェットワイパーでは、消毒液は、水や、エタノール水溶液（エタノールの濃度：０重量％を超え、９０重量％以下）、イソプロパノール水溶液（イソプロパノールの濃度：０重量％を超え、９０重量％以下）にポリフェノール系消毒剤が溶解されたものであってもよい。
また、消毒液は、水にポリフェノール系消毒剤が溶解されたものであることが望ましい。なおこの場合、ｐＨは特に限定されないが、４．０〜８．０であることが望ましい。
【００３１】
消毒液が、水にポリフェノール系消毒剤が溶解されたものである場合、その濃度は０．００１〜１重量％であることが望ましく、０．０１〜０．５重量％であることがより望ましい。
本発明のウェットワイパーを構成する繊維シートは、ポリフェノール系消毒剤を吸着しにくい。そのため、上記濃度であっても、充分な量の消毒剤がポリフェノール系消毒剤を被払拭表面に移すことができる。
【００３２】
本発明のウェットワイパーでは、消毒液は、さらにアミノ酸系消毒剤等の他の消毒剤を含んでいてもよい。
アミノ酸系消毒剤としては、ジアミノエチルグリシン塩酸塩、ラウリルジアミノエチルグリシン塩酸塩、ドデシルジアミノエチルアミノエチルグリシン塩酸塩、塩酸アルキルポリアミノエチルグリシン等が挙げられる。
【００３３】
＜繊維シート＞
次に本発明のウェットワイパーを構成する繊維シートについて説明する。
本発明のウェットワイパーでは、繊維シートは、綿、テンセル、ポリエチレン、ポリプロピレン及びポリエステルからなる群から選択される少なくとも１種の繊維からなる。
これらの繊維は、第四級アンモニウム塩系消毒剤、ビグアナイド系消毒剤及びポリフェノール系消毒剤を吸着しにくい。
すなわちこれら繊維からなる繊維シートは、上記の消毒剤を吸着しにくい。
そのため、本発明のウェットワイパーで被払拭表面を拭いた場合、充分な量の消毒剤を被払拭表面に移すことができる。
従って、本発明のウェットワイパーは、消毒液の含浸量（すなわち、消毒剤の使用量）に対し、充分な殺菌効果及び／又はウイルス不活性化効果を示す。
【００３４】
なお、繊維シートを構成する繊維がポリエステルである場合、ポリエステルは、ポリエチレンテレフタレートであってもよい。
【００３５】
また、レーヨンやパルプからなる繊維は、第四級アンモニウム塩系消毒剤、ビグアナイド系消毒剤及びポリフェノール系消毒剤を吸着しやすい。
そのため、本発明のウェットワイパーを構成する繊維シートにレーヨン及びパルプが含まれる場合には、その含有量は、１０重量％未満であることが望ましく、５重量％未満であることがより望ましい。
本発明のウェットワイパーでは、繊維シートは、レーヨン及びパルプを含まないことが望ましい。
【００３６】
本発明のウェットワイパーにおいて、繊維シートは、特に限定されず、不織布であってもよく、織布であってもよいが、不織布であることが望ましい。
【００３７】
本発明のウェットワイパーでは、繊維シートの目付量は１０〜４００ｇ／ｍ２であることが望ましく、１５〜２００ｇ／ｍ２であることがより望ましい。
繊維シートの目付量が１０ｇ／ｍ２未満であると、繊維シートが破れやすくなる。
繊維シートの目付量が４００ｇ／ｍ２を超えると、消毒液が含浸しにくくなる。また、繊維シートが硬くなり、使用時に繊維シートを折り曲げにくくなる。
【００３８】
本発明のウェットワイパーでは、繊維シートに含まれる消毒液の含浸量は、繊維シート１００重量部に対し、１００〜２０００重量部であることが望ましく、２００〜５００重量部であることがより望ましい。
繊維シートに含まれる消毒液の含浸量が、１００重量部未満であると、液体の量が少なく、充分な量の消毒剤を、被払拭表面に移しにくくなる。
繊維シートに含まれる消毒液の含浸量が、２０００重量部を超えると、液体の量が多く、被払拭表面に消毒液が過剰に残りやすくなる。
【００３９】
＜その他の構成＞
本発明のウェットワイパーでは、消毒液は、保湿剤、界面活性剤、溶剤、キレート剤、防腐剤、着色料、香料等の成分を含んでいてもよい。
【００４０】
本発明のウェットワイパーは、台座、机等を消毒するために使用することもでき、手や腕等生体を消毒するために使用することもできる。
【実施例】
【００４１】
以下に本発明をより具体的に説明する実施例を示すが、本発明はこれらの実施例に限定されるものではない。
【００４２】
（実施例１）
ベンザルコニウム塩化物（日本製薬株式会社製「日本薬局方ベンザルコニウム塩化物液オスバンＳ」）を水にて希釈し、ベンザルコニウム塩化物０．０５重量％水溶液を作製した。
次に、テンセルからなる不織布（クラレクラフレックス株式会社製「ＪＰ５４１０」）を２０ｃｍ×２０ｃｍにカットし、試験用不織布とした。
次に、試験用不織布１００重量部に対し、上記ベンザルコニウム塩化物０．０５重量％水溶液が２００重量部となるように、試験用不織布に塩化ベンザルコニウム０．０５重量％水溶液を含浸させ、実施例１に係るウェットワイパーを作製した。
【００４３】
（実施例２〜１６）及び（比較例１〜１２）
表１及び２に示すように、消毒剤の種類及び不織布の種類を変更した以外は、実施例１に係るウェットワイパーと同様に、実施例２〜１６及び比較例１〜１２に係るウェットワイパーを作製した。
【００４４】
【表１】
2019097756.tif 000003
【００４５】
【表２】
2019097756.tif 000004
【００４６】
なお、表１及び２中の消毒剤及び不織布の製造元、製品名等は以下の通りである。
＜消毒剤＞
塩化ベンザルコニウム：日本製薬株式会社製「日本薬局方ベンザルコニウム塩化物液オスバンＳ」
グルコン酸クロルヘキシジン：山善製薬株式会社製「５％クロルヘキシジン液「ヤマゼン」」
＜不織布＞
テンセル１：クラレクラフレックス株式会社製「ＪＰ５４１０」（目付量：５９ｇ／ｍ２）
テンセル２：株式会社橋本クロス製「テンセル１００」（目付量：３２ｇ／ｍ２）
ポリエチレン：クラレクラフレックス株式会社製「ＰＥ」（目付量：４２ｇ／ｍ２）
ポリエステル１：クラレクラフレックス株式会社製「ＪＰ５３６２」（ポリエチレンテレフタレート）（目付量：３１ｇ／ｍ２）
ポリエステル２：株式会社ライフ堂製「フローリング用ドライシート」（目付量：４１ｇ／ｍ２）
ポリプロピレン１：クラレクラフレックス株式会社製「ＰＣ００２０Ｔ−７０」（目付量：２１ｇ／ｍ２）
ポリプロピレン２：株式会社橋本クロス製「メルティＷ３１３６」（目付量：８５ｇ／ｍ２）
綿：株式会社大和工場製「カット綿ベスケア」（目付量：１９５ｇ／ｍ２）
レーヨン１：クラレクラフレックス株式会社製「ＪＰ３８０２」（目付量：２４ｇ／ｍ２）
レーヨン２：日本製紙クレシア株式会社製「ハイジェネブルーハンディワイパー」（目付量：８９ｇ／ｍ２）
レーヨン３：日立化成株式会社製「大判カウンタークロス」（目付量：７９ｇ／ｍ２）
パルプ１：新橋製紙株式会社製「ＳＨＩＮＢＡＳＨＩＣｈｅｒｒｙＰＡＰＥＲＴＯＷＬＳ」（目付量：３２ｇ／ｍ２）
パルプ２：日本製紙クレシア株式会社製「キムタオル」（目付量：７８ｇ／ｍ２）（４枚重ね）
パルプ３：日本製紙クレシア株式会社製「やわらかおしりふき」（目付量：４６ｇ／ｍ２）
【００４７】
（殺菌力評価）
（１）大腸菌（Ｅｓｃｈｅｒｉｃｈｉａ  ｃｏｌｉ    ＮＢＲＣ３９７２）を普通ブイヨン培地に接種し、３５℃で２４時間培養したものを試験用菌液とした。試験用菌液に含まれる菌数は、１０７〜１０８ｃｆｕ／ｍＬであった。
（２）実施例１〜１６及び比較例１〜１２に係るウェットワイパーから消毒液を絞り出して試験用消毒液とした。
（３）試験用消毒液２ｍＬに対し、試験用菌液を０．０２ｍＬ加えて混合液とし、３０秒間混合した。
（４）混合液をＳＣＤＬＰ培地に１白金耳移植し、３５℃で４８時間培養後、菌の生死を判定した。結果を表１及び２に示す。
なお、評価基準は以下の通りである。
○：培地が濁らなかった（殺菌効果あり）
×：培地が濁った（殺菌効果なし）
【００４８】
表１及び２に示すように、実施例１〜１６に係るウェットワイパーの絞汁は充分な殺菌効果を示すことが判明した。
つまり、不織布の繊維が綿、テンセル、ポリエチレン、ポリプロピレン又はポリエステルからなる実施例１〜１６に係るウェットワイパーを用いると、ベンザルコニウム塩化物やグルコン酸クロルヘキシジンが繊維に吸着されないと考えられる。
そのため、これらのウェットワイパーを使用して被払拭表面を払拭すると、被払拭表面に充分に塩化ベンザルコニウムやグルコン酸クロルヘキシジンを移すことができる。その結果、被払拭表面を充分に殺菌できると考えられる。
一方、不織布の繊維がレーヨン及びパルプからなる比較例１〜１２では、殺菌効果が充分ではなかった。
これは、レーヨン及びパルプが塩化ベンザルコニウムやグルコン酸クロルヘキシジンを吸着したため、絞汁に塩化ベンザルコニウムやグルコン酸クロルヘキシジンが含まれなかったためと考えられる。
【００４９】
（実施例１７）
ポリフェノール系消毒剤（理研ビタミン株式会社製「海藻ポリフェノール」（フロログルシノールの重合数が１０分子以上のフロログルシノール重合体を含有））を水にて希釈し、ポリフェノール系消毒剤０．０６重量％水溶液を作製した。
次に、テンセルからなる不織布（クラレクラフレックス株式会社製「ＪＰ５４１０」）を２０ｃｍ×２０ｃｍにカットし、試験用不織布とした。
次に、試験用不織布１００重量％に対し、上記ポリフェノール系消毒剤０．０６重量％水溶液が２００重量％となるように、試験用不織布にポリフェノール系消毒剤０．０６重量％水溶液を含浸させ、実施例１７に係るウェットワイパーを作製した。
【００５０】
（実施例１８〜２４）
表３に示すように、不織布の種類を変更した以外は、実施例１７に係るウェットワイパーと同様に、実施例１８〜２４に係るウェットワイパーを作製した。
【００５１】
【表３】
2019097756.tif 000005
【００５２】
（ウイルス不活性化評価）
（１）ネコカリシウイルスを、ネコ腎由来株化細胞であるＣＲＦＫ細胞（ＡＴＣＣ  ＣＣＬ−９４）に感染させて細胞を培養した。
【００５３】
（２）次に、ネコカリシウイルスが感染したかどうかを細胞変性効果（Ｃｙｔｏｐａｔｈｉｃ  ｅｆｆｅｃｔ：ＣＰＥ）により確認した。
細胞変性効果を確認した後、培養細胞の凍結融解を繰り返すことにより、培養細胞を破砕した。
【００５４】
（３）次に、得られた培養細胞破砕液を遠心分離し、上清をウイルス溶液とした。
【００５５】
（４）実施例１７〜２４に係るウェットワイパーから消毒液を絞り出して試験用消毒液とし、該試験用消毒液と、ウイルス溶液とを９：１の割合（容量）で混合し、室温で３０秒経過後、ＯＰＴＩ−ＭＥＭ培地で２００倍希釈することにより、該試験用消毒液のウイルスに対する作用を停止させた。
この工程により得られた溶液を消毒液３０秒作用ウイルス溶液とした。
【００５６】
（５）ＯＰＴＩ−ＭＥＭ培地と、ウイルス溶液とを９：１の割合（容量）で混合した直後、ＯＰＴＩ−ＭＥＭ培地で２００倍希釈することにより、得られた溶液を消毒液０分作用ウイルス溶液とした。
【００５７】
（６）消毒液０分作用ウイルス溶液、消毒液３０秒作用ウイルス溶液を、それぞれ、ＯＰＴＩ−ＭＥＭ培地により１０倍段階希釈した。ＣＲＦＫ細胞を培養した９６ｗｅｌｌマイクロプレートの培地を捨て、段階希釈液を１００μＬずつ加えた。
【００５８】
（７）消毒液０分作用ウイルス溶液及び消毒液３０秒作用ウイルス溶液の段階希釈液が加えられたＣＲＦＫ細胞を３７℃、５％ＣＯ２の条件で、４日間培養した。
【００５９】
（８）培養したＣＲＦＫ細胞のＣＰＥを指標にＴＣＩＤ５０（Ｔｉｓｓｕｅ  Ｃｕｌｔｕｒｅ  Ｉｎｆｅｃｔｉｏｕｓ  Ｄｏｓｅ  ５０％）により各ウイルス溶液のウイルス感染力価（対数）を定量した。
【００６０】
（９）上記（１）〜（８）の工程を３回独立に行い、消毒液０分作用ウイルス溶液を用いて算出されたウイルス感染力価の平均値を、作用時間０分におけるウイルス感染力価とし、消毒液３０秒作用ウイルス溶液を用いて算出されたウイルス感染力価の平均値を、作用時間３０秒におけるウイルス感染力価の値とした。
評価基準は以下の通りである。結果を表３に示す。
◎：４．０以上の感染力価の減少（充分な効果あり）
○：２．０以上、４．０未満の感染力価の減少（効果あり）
×：２．０未満の感染力価の減少（効果なし）
【００６１】
表３に示すように、実施例１７〜２４に係るウェットワイパーの絞汁は充分なウイルス不活性化効果を示すことが判明した。
つまり、不織布の繊維が綿、テンセル、ポリエチレン、ポリプロピレン又はポリエステルからなる実施例１７〜２４に係るウェットワイパーを用いると、被払拭表面に充分にポリフェノール系消毒剤を移すことができ、被払拭表面のウイルスを充分に不活性化できることが判明した。